(57)【要約】      （修正有）【課題】眼内レンズを装着した被検眼の眼底撮影においてフレアのない眼底像を容易に取得できる眼科撮影装置を提供する。【解決手段】照明光を断面リング状とする健常眼用虹彩絞り１０７ｂ−１とＩＯＬ用虹彩絞り１０７ｂ−２とを有する虹彩絞り部材１０７Ｂを有する照明光学系と、被検眼Ｅに照射された照明光による眼底反射光を検出して眼底像を撮影する撮影光学系と、眼内レンズが装着された被検眼に対して照明光を照射するときに、照明光学系の光軸上にＩＯＬ用虹彩絞り１０７ｂ−２を配置させるように虹彩絞り部材１０７Ｂを制御するソレノイド３３ｂと、このソレノイド３３ｂの動作を制御する制御部３０とを備える。ＩＯＬ用虹彩絞り１０７ｂ−２のリングスリットの外径は、健常眼用虹彩絞り１０７ｂ−１のリングスリットよりも小さな直径を有している。【選択図】図５
2010234066.tif 000002
【特許請求の範囲】
【請求項１】
被検眼に照明光を照射する照明光学系と、前記照明光による眼底反射光を検出して眼底像を撮影する撮像手段を含む撮影光学系とを備える眼科撮影装置であって、
被検眼に眼内レンズが装着されているときに前記撮像手段により撮影された前記眼底像の色バランスを、人眼水晶体を有する被検眼について前記撮影される眼底像の色バランスに合わせるように補正する補正手段を備えていることを特徴とする眼科撮影装置。
【請求項２】
被検眼に眼内レンズが装着されていることを入力するための入力手段を備え、
前記補正手段は、前記入力手段による前記入力があったことに対応して、前記撮影された眼底像の色バランスを補正する、
ことを特徴とする請求項１に記載の眼科撮影装置。
【請求項３】
複数種類の眼内レンズの分光特性情報をあらかじめ記憶した記憶手段と、
眼内レンズの種類を入力するための種類入力手段と、
を更に備え、
前記補正手段は、前記入力された種類の眼内レンズに対応する前記分光特性情報を前記記憶手段から選択し、当該選択された前記分光特性情報に基づいて前記撮影された眼底像の色バランスを補正する、
ことを特徴とする請求項１又は請求項２に記載の眼科撮影装置。
【請求項４】
前記分光特性情報は、眼内レンズを透過した光を複数の基準色に分解したときの各基準色成分の強度比であり、
前記記憶手段は、人眼水晶体を透過した光の前記各基準色成分の強度比をあらかじめ記憶しており、
前記撮像手段は、前記眼底反射光を前記複数の基準色に分解して各基準色成分の強度を検出する撮像素子を備え、
前記補正手段は、前記選択された前記眼内レンズの前記強度比と前記人眼水晶体の前記強度比とを基に前記撮像素子により検出された前記各基準色成分の強度を変更することにより、前記撮影された眼底像の色バランスを補正する、
ことを特徴とする請求項３に記載の眼科撮影装置。
【請求項５】
前記分光特性情報は、眼内レンズを透過した光を複数の基準色に分解したときの各基準色成分の強度比を、人眼水晶体を透過した光の前記各基準色成分の強度比に合わせるための補正係数であり、
前記撮像手段は、前記眼底反射光を前記複数の基準色に分解して各基準色成分の強度を検出する撮像素子を備え、
前記補正手段は、前記撮像素子により検出された前記各基準色成分の強度を前記補正係数によって変更することにより、前記撮影された眼底像の色バランスを補正する、
ことを特徴とする請求項３に記載の眼科撮影装置。
【請求項６】
前記記憶手段は、眼内レンズのレンズ色に対応する分光特性情報をあらかじめ記憶しており、
眼内レンズのレンズ色を入力するためのレンズ色入力手段を更に備え、
前記補正手段は、前記入力された眼内レンズのレンズ色に対応する分光特性情報を前記記憶手段から選択し、当該選択された分光特性情報を基に前記撮影された眼底像の色バランスを補正する、
ことを特徴とする請求項３ないし請求項５のいずれか一項に記載の眼科撮影装置。
【請求項７】
前記眼内レンズの種類は、眼内レンズの製品名であることを特徴とする請求項１ないし請求項６のいずれか一項に記載の眼科撮影装置。
【請求項８】
前記撮影光学系の前記撮像手段は、前記照明光による前眼部反射光を検出して、被検眼に装着された眼内レンズの画像を撮影し、
前記補正手段は、前記撮影された前記眼内レンズの画像を解析して当該眼内レンズの分光特性情報を取得する解析手段を備え、当該取得された分光特性情報に基づいて前記撮影された眼底像の色バランスを補正する、
ことを特徴とする請求項１又は請求項２に記載の眼科撮影装置。
【請求項９】
前記撮像手段は、前記前眼部反射光及び前記眼底反射光のそれぞれを複数の基準色に分解して各基準色成分の強度を検出する撮像素子を備え、
前記解析手段は、前記撮像素子による前記前眼部反射光の検出結果に基づく前記各基準色成分の強度比を前記分光特性情報として取得し、
人眼水晶体により反射された光の前記各基準色成分の強度比をあらかじめ記憶した記憶手段を更に備え、
前記補正手段は、前記取得された前記眼内レンズの前記強度比を前記人眼水晶体の前記強度比に合わせるように、前記撮像素子により検出された前記眼底反射光の前記各基準色成分の強度を変更することにより、前記撮影された眼底像の色バランスを補正する、
ことを特徴とする請求項８に記載の眼科撮影装置。
【請求項１０】
前記複数の基準色はＲＧＢであることを特徴とする請求項４、請求項５又は請求項９に記載の眼科撮影装置。
【請求項１１】
前記撮像手段の前記撮像素子はＣＣＤであることを特徴とする請求項４、請求項５又は請求項９に記載の眼科撮影装置。
【発明の詳細な説明】
【技術分野】
【０００１】
本発明は、被検眼を撮影する眼科撮影装置に関し、特に、眼内レンズ（ＩＯＬ；Ｉｎｔｒａｏｃｕｌａｒ  Ｌｅｎｓ）が装着された被検眼の眼底撮影を好適に行うための技術に関するものである。
【背景技術】
【０００２】
近年、白内障等の疾患に対するＩＯＬの移植手術が多数行われるようになったことに伴い、ＩＯＬを装着した被検眼の観察や撮影を行う機会が増加してきている。特に、眼底カメラ等を用いて、ＩＯＬが装着された被検眼の眼底を観察したり撮影したりすることも広く行われるようになってきている。
【０００３】
ＩＯＬは、白内障等の眼疾患に対する手術において摘出された水晶体の代わりに移植されるレンズである。ＩＯＬは、一般に、屈折力を有するレンズからなるレンズ本体と、このレンズ本体を眼内において支持する支持部とを備えている（例えば、特許文献１を参照）。
【０００４】
ＩＯＬのレンズ本体は、一般的に直径５ｍｍ程度の有効径を備え、レンズ本体のエッジ部は円形や楕円形等、各種の形状に形成されている（例えば、特許文献１、２を参照）。また、レンズ本体は、無着色のクリアタイプや、色素が混入された着色タイプなど、様々な分光透過特性を有するものが使用されている（例えば、特許文献３を参照）。
【０００５】
また、ＩＯＬの支持部としては、レンズ本体と一体的に形成された一対の平板状の弾性体からなるものや、レンズ本体とは別に成形されてレンズ本体に結合された一対の線材からなるものなど、各種使用されている（例えば、特許文献１を参照）。
【０００６】
このようなＩＯＬを装着した被検眼に対して眼底撮影を行うとき、次のような原因により良好な眼底像を得られないことが指摘されていた。まず、眼底を照明する照明光がレンズ本体のエッジ部やレンズ本体を支える支持部において散乱され、この散乱光が撮影される眼底像にフレアを発生させることがあり、それにより鮮明な眼底像を得られないことがあった。このように眼底像にフレアが発生した場合には、フレアを除去するための熟練した操作が必要であった。
【０００７】
また、眼底撮影は、ＩＯＬのレンズ本体を経由した光束に基づいて行われるため、取得される眼底像は、レンズ本体の分光透過特性によって色合いが変わり眼底像の読映が困難となり、所見に悪影響を与えることがあった。すなわち、クリアタイプのＩＯＬでは、人眼の水晶体より短波長成分を多く透過するため、眼底像は青味の強い画像になりやすい一方、着色タイプのＩＯＬでは、眼底像はその色味の強い画像が得られることとなる。例えば、黄着色タイプのＩＯＬにおいては、その着色の程度に寄るが、黄色味の強いレンズ本体を有するものでは、黄色味の強い眼底像が撮影されることとなる。このように、ＩＯＬのタイプによって撮影される眼底像の色味が異なってしまうため、正確かつ効果的な診療を行うことが困難となるおそれが生じ、その場合には眼底像の色味を補正するための画像処理を施してやる必要があった。
【先行技術文献】
【特許文献】
【０００８】
【特許文献１】特開２００２−２９１７７６号公報（明細書段落［０００９］、［００１０］、［００１２］、第１図、第２図）
【特許文献２】特開平６−１８９９８５号公報（請求項１）
【特許文献３】特開２００３−８４２４２号公報（請求項１〜１３）
【発明の概要】
【発明が解決しようとする課題】
【０００９】
本発明は、このような事情に鑑みてなされたもので、眼内レンズを装着した被検眼に対する眼底撮影において、フレアのない眼底像を容易に取得することが可能な眼科撮影装置を提供することを目的とする。
【００１０】
また、本発明は、眼内レンズを装着した被検眼に対する眼底撮影において、人眼水晶体の被検眼に対する撮影画像に近い色合いの眼底像を容易に取得することが可能な眼科撮影装置を提供することを他の目的としている。
【課題を解決するための手段】
【００１１】
上記目的を達成するために、本発明の一形態は、被検眼に照明光を照射する照明光学系と、前記照明光による眼底反射光を検出して眼底像を撮影する撮像手段を含む撮影光学系とを備える眼科撮影装置であって、被検眼に眼内レンズが装着されているときに前記撮像手段により撮影された前記眼底像の色バランスを、人眼水晶体を有する被検眼について前記撮影される眼底像の色バランスに合わせるように補正する補正手段を備えていることを特徴とする。
【００１２】
また、上記眼科撮影装置であって、被検眼に眼内レンズが装着されていることを入力するための入力手段を備え、前記補正手段は、前記入力手段による前記入力があったことに対応して、前記撮影された眼底像の色バランスを補正してもよい。
【００１３】
また、上記眼科撮影装置であって、複数種類の眼内レンズの分光特性情報をあらかじめ記憶した記憶手段と、眼内レンズの種類を入力するための種類入力手段と、を更に備え、前記補正手段は、前記入力された種類の眼内レンズに対応する前記分光特性情報を前記記憶手段から選択し、当該選択された前記分光特性情報に基づいて前記撮影された眼底像の色バランスを補正してもよい。
【００１４】
また、上記眼科撮影装置であって、前記分光特性情報は、眼内レンズを透過した光を複数の基準色に分解したときの各基準色成分の強度比であり、前記記憶手段は、人眼水晶体を透過した光の前記各基準色成分の強度比をあらかじめ記憶しており、前記撮像手段は、前記眼底反射光を前記複数の基準色に分解して各基準色成分の強度を検出する撮像素子を備え、前記補正手段は、前記選択された前記眼内レンズの前記強度比と前記人眼水晶体の前記強度比とを基に前記撮像素子により検出された前記各基準色成分の強度を変更することにより、前記撮影された眼底像の色バランスを補正してもよい。
【００１５】
また、上記眼科撮影装置であって、前記分光特性情報は、眼内レンズを透過した光を複数の基準色に分解したときの各基準色成分の強度比を、人眼水晶体を透過した光の前記各基準色成分の強度比に合わせるための補正係数であり、前記撮像手段は、前記眼底反射光を前記複数の基準色に分解して各基準色成分の強度を検出する撮像素子を備え、前記補正手段は、前記撮像素子により検出された前記各基準色成分の強度を前記補正係数によって変更することにより、前記撮影された眼底像の色バランスを補正してもよい。
【００１６】
また、上記眼科撮影装置であって、前記記憶手段は、眼内レンズのレンズ色に対応する分光特性情報をあらかじめ記憶しており、眼内レンズのレンズ色を入力するためのレンズ色入力手段を更に備え、前記補正手段は、前記入力された眼内レンズのレンズ色に対応する分光特性情報を前記記憶手段から選択し、当該選択された分光特性情報を基に前記撮影された眼底像の色バランスを補正してもよい。
【００１７】
また、上記眼科撮影装置において、前記眼内レンズの種類は、眼内レンズの製品名であってもよい。
【００１８】
また、上記眼科撮影装置であって、前記撮影光学系の前記撮像手段は、前記照明光による前眼部反射光を検出して、被検眼に装着された眼内レンズの画像を撮影し、前記補正手段は、前記撮影された前記眼内レンズの画像を解析して当該眼内レンズの分光特性情報を取得する解析手段を備え、当該取得された分光特性情報に基づいて前記撮影された眼底像の色バランスを補正してもよい。
【００１９】
また、上記眼科撮影装置であって、前記撮像手段は、前記前眼部反射光及び前記眼底反射光のそれぞれを複数の基準色に分解して各基準色成分の強度を検出する撮像素子を備え、前記解析手段は、前記撮像素子による前記前眼部反射光の検出結果に基づく前記各基準色成分の強度比を前記分光特性情報として取得し、人眼水晶体により反射された光の前記各基準色成分の強度比をあらかじめ記憶した記憶手段を更に備え、前記補正手段は、前記取得された前記眼内レンズの前記強度比を前記人眼水晶体の前記強度比に合わせるように、前記撮像素子により検出された前記眼底反射光の前記各基準色成分の強度を変更することにより、前記撮影された眼底像の色バランスを補正してもよい。
【００２０】
また、上記眼科撮影装置であって、前記複数の基準色はＲＧＢであってもよい。
【００２１】
また、上記眼科撮影装置であって、前記撮像手段の前記撮像素子はＣＣＤであってもよい。
【発明の効果】
【００２２】
本発明の実施形態にかかる眼科撮影装置によれば、被検眼に眼内レンズが装着されているときに、当該眼内レンズの種類に応じて、撮影された眼底像の色バランスを人眼水晶体に対する眼底像の色バランスに合わせるように補正する補正手段を備えているので、眼内レンズを装着した被検眼に対する眼底撮影において、健常眼に対する撮影画像に近い色合いの眼底像を容易に取得することが可能である。
【００２３】
特に、一形態の眼科撮影装置によれば、眼内レンズの分光特性情報を記憶した記憶手段と、眼内レンズの種類（特に製品名）を入力するための種類入力手段とを備え、入力された種類の眼内レンズに応じて選択された分光特性情報に基づいて眼底像の色バランスを補正するように構成されているので、眼内レンズの種類に応じた色バランス補正を効果的に行うことができる。
【００２４】
更に、一形態の眼科撮影装置によれば、眼内レンズの種類を取得できない場合や、当該種類の眼内レンズに対応する分光特性情報が記憶手段に記憶されていない場合であっても、眼内レンズのレンズ色を入力するだけで、当該レンズ色に対応する分光特性情報を用いて眼底像の色バランス補正を実行することができるので便利である。
【００２５】
また、一形態の眼科撮影装置によれば、被検眼に装着された眼内レンズの画像を撮影してその画像を解析することで当該眼内レンズの分光特性情報を取得し、その分光特性情報に基づいて眼底像の色バランスを補正するように構成されているので、実際に装着されている眼内レンズに応じた色バランス補正を容易に行うことができる。
【図面の簡単な説明】
【００２６】
【図１】本発明に係る眼科撮影装置の第１の実施形態の外観構成の一例を表す概略側面図である。
【図２】本発明に係る眼科撮影装置の第１の実施形態の光学系の構成の一例を表す概略側面図である。
【図３】本発明に係る眼科撮影装置の第１の実施形態の光学系の照明絞りに含まれるリングスリット板の構成の一例を表す概略図である。
【図４】本発明に係る眼科撮影装置の第１の実施形態の光学系の照明絞りの構成の一例を表す概略図である。図４（Ａ）は、当該照明絞りに含まれる虹彩絞り部材の一構成例を表す。図４（Ｂ）は、当該照明絞りに含まれる水晶体絞り部材の一構成例を表す。
【図５】本発明に係る眼科撮影装置の第１の実施形態の制御系の構成の一例を表すブロック図である。
【図６】本発明に係る眼科撮影装置の第２の実施形態の制御系の構成の一例を表すブロック図である。
【図７】本発明に係る眼科撮影装置の第２の実施形態による撮影画像の補正処理に用いられる分光特性情報の一例を表す概念図である。
【図８】本発明に係る眼科撮影装置の第２の実施形態による撮影画像の補正処理に用いられる分光特性情報の一例を表す概念図である。
【図９】本発明に係る眼科撮影装置の第３の実施形態の制御系の構成の一例を表すブロック図である。
【発明を実施するための形態】
【００２７】
本発明に係る眼科撮影装置の好適な実施形態の一例について、図面を参照しながら詳細に説明する。
【００２８】
本発明は、眼内レンズ（ＩＯＬ）が装着された被検眼の撮影（特に眼底撮影）を好適に行うことを目的としている。以下、第１の実施形態においては、ＩＯＬが装着された被検眼に対する検査時に照明光学系の絞り（照明絞り）を制御することで、撮影画像におけるフレアの発生の抑制することが可能な眼科撮影装置について説明する。また、第２、第３の実施形態においては、被検眼に装着されたＩＯＬの種類（例えば、各社製品、レンズ本体の色など）に関わらずに好適な色合いの眼底像を取得することを可能とする眼科撮影装置について説明する。
【００２９】
〈第１の実施形態〉
［外観構成］
図１は、本発明に係る眼科撮影装置の一例としての眼底カメラ１の外観構成を表す。眼底カメラ１は、ベース２と、このベース２上に前後左右方向（水平方向）にスライド可能に搭載された架台３とを備えている。
【００３０】
架台３には、ジョイスティック４が設置されており、検者はジョイスティック４を操作することによって、架台３をベース２上において自由に移動させることができる。ジョイスティック４の先端部には、操作ボタン４ａが配置されており、これを押下することにより眼底撮影が実行される。また、架台３上には、撮影モードの設定入力やＩＯＬモードの設定入力など、眼底カメラ１の各種動作に関する入力を行うためのボタン、キー、スイッチ等を備えたコントロールパネル３ａが設けられている。なお、コントロールパネル３ａは、タッチパネル方式の液晶パネルなどで構成することもできる。
【００３１】
ベース１上には支柱５が立設され、被検者の顎部を載置させるための顎受け６ａと、被検者の額が当接される額当て６ｂと、被検眼Ｅを固視させるための光源である外部固視灯７とが設けられている。
【００３２】
架台３上には、眼底カメラ１の各種光学系や制御系を格納する本体部８が搭載されている。なお、制御系は、ベース２や架台３の内部等に設けられていてもよい。本体部８には、被検眼Ｅに対向配置される対物レンズ部８ａと、検者が被検眼Ｅの観察等を行うための接眼レンズ部８ｂとが設けられている。本体部８は、ジョイント部８ｃを介して架台３に接続されている。ジョイント部８ｃには、従来のように、本体部８の向きを上下左右に変更可能とする機構が格納されている。
【００３３】
また、本体部８には、被検眼Ｅの前眼部や眼底の特に静止画像を撮影するための撮像装置９と、前眼部や眼底の観察画像を撮影するためのテレビカメラ１０とが接続されている。撮像装置９及びテレビカメラ１０は、本体部８に対して取り外し可能に接続されている。特に、撮像装置９としては、検査の目的等に応じて、ＣＣＤを搭載したテレビカメラやデジタルカメラ、（例えば３５ｍｍの）フィルムカメラ、インスタントカメラ等が選択的に適用される。また、撮像装置９やテレビカメラ１０による撮影画像を、眼底カメラの外部に設けられたコンピュータ等の画像記録装置に送信して保存することができる。
【００３４】
更に、本体部８の検者側には、テレビカメラ１０により取得された映像信号を基に被検眼Ｅの前眼部像や眼底像Ｅｆ′を表示するモニタ１１が設けられている。モニタ１１は、本発明にいう表示手段を構成するもので、薄型（好ましくは軽量）タイプの例えば液晶モニタにより構成される。モニタ１１としては、例えばタッチパネルモニタが使用され、その画面中央を原点とするＸＹ座標系が眼底像Ｅｆ′等に重ねて表示され、画面に触れた位置に対応する座標値が表示されるようになっている。
【００３５】
［光学系の構成］
図２は眼底カメラ１の光学系の構成を示している。眼底カメラ１には、被検眼Ｅの前眼部や眼底Ｅｆに照明を照射する照明光学系１００と、照明光の前眼部反射光や眼底反射光を受光して前眼部や眼底Ｅｆを観察し撮影するための撮影光学系１２０とが設けられている。
【００３６】
〔照明光学系〕
照明光学系１００は、ハロゲンランプ１０１、コンデンサレンズ１０２、キセノンランプ１０３、コンデンサレンズ１０４、エキサイタフィルタ１０５及び１０６、リングスリット板１０７ａ、１０７ｂ、１０７ｃ、ミラー１０８、液晶表示器１０９、リレーレンズ１１１、孔開きミラー１１２、対物レンズ１１３を備えている。
【００３７】
ハロゲンランプ１０１は、定常光（観察照明光）を発する観察光源である。コンデンサレンズ１０２は、ハロゲンランプ１０１が発した定常光を集光し、被検眼Ｅ（特にその眼底Ｅｆ）を均等に照射するための光学素子である。また、キセノンランプ１０３は、眼底Ｅｆを撮影するときにフラッシュ発光される撮影光源である。コンデンサレンズ１０４は、キセノンランプ１０３が発したフラッシュ光（撮影照明光）を集光し、眼底Ｅｆを均等に照射するための光学素子である。
【００３８】
エキサイタフィルタ１０５、１０６は、眼底Ｅｆの眼底像の蛍光撮影を行うときに使用されるフィルタで、図示しないソレノイド等によりそれぞれ光路に対して挿脱される。ＦＡＧ撮影時にはエキサイタフィルタ１０５が光路上に挿入され、ＩＣＧ撮影時にはエキサイタフィルタ１０６が光路上に挿入される。また、カラー撮影時には、エキサイタフィルタ１０５、１０６はともに光路上から退避される。
【００３９】
リングスリット板１０７ａ〜１０７ｃは、照明光の一部を遮蔽する照明絞りとして作用し、観察画像や撮影画像のフレアの除去などを図るために、照明光の断面形状をリング状に制限するものである。なお、照明光の「断面」とは、照明光の進行方向（照明光学系１００の光軸方向）に対し直交する面における断面を表すこととする。
【００４０】
各リングスリット板１０７ａ〜１０７ｃは、図３に示すように、照明光の断面の周辺領域を遮蔽する周辺遮光部Ｒａと、照明光の断面の中心領域を遮蔽する中心遮光部Ｒｂとを備えている。周辺遮光部Ｒａ及び中心遮光部Ｒｂは、照明光学系１００の光軸を中心とする同心円をなすように形成されている。照明光は、周辺遮光部Ｒａと中心遮光部Ｒｂの間に形成されたリングスリットＲｓを透過して断面がリング状とされる。なお、各リングスリット板１０７ａ〜１０７ｃの周辺遮光部Ｒａ及び／又は中心遮光部Ｒｂは、それぞれ異なる大きさに形成されている。言い換えれば、各リングスリット板１０７ａ〜１０７ｃのリングスリットＲｓは、それぞれ異なるサイズ、つまり異なる外径及び／又は内径を有している。
【００４１】
リングスリット板１０７ａ〜１０７ｃは、それぞれ照明光学系１００の光軸方向に移動可能とされている。検査時において、リングスリット板１０７ｂは瞳孔（虹彩）に共役になるように位置が調整され、それからリングスリット板１０７ａ、１０７ｃがそれぞれ角膜、水晶体（の後面）に共役となるように位置調整される。それにより、各人毎の角膜や水晶体の厚さの相違、あるいは角膜と水晶体後面との間隔の相違などに応じてリングスリット板１０７ａ〜１０７ｃの位置を調整することができる。
【００４２】
なお、リングスリット板１０７ａ〜１０７ｃの照明光学系１００の光軸方向への移動は、手動で行うように構成することもできるし、パルスモータ等の駆動装置によって電気的に行うように構成することもできる。本実施形態では、各リングスリット板１０７ａ〜１０７ｃの位置を微調整できるように後者の構成（駆動装置）を採用することとする。各駆動装置は、例えば、コントロールパネル３ａやジョイスティック４に対する操作に対応して各リングスリット板１０７ａ〜１０７ｃを駆動する。
【００４３】
以下、被検眼Ｅの角膜に略共役に配置されるリングスリット板１０７ａを角膜絞りと称し、虹彩に略共役に配置されるリングスリット板１０７ｂを虹彩絞りと称し、水晶体の後面に略共役に配置されるリングスリット板１０７ｃを水晶体絞りと称することがある。また、これら３つの絞りをまとめて照明絞り１０７と称することがある。
【００４４】
角膜絞り１０７ａ及び／又は水晶体絞り１０７ｃは、リング状の透光部（リングスリットＲｓ）を有するリングスリット板である必要はなく、中心遮光部Ｒｂのみを有する遮光板を適用してもよい。また、虹彩絞り１０７ｂについても、リング状の透光部を有するリングスリット板である必要はなく、周辺遮光部Ｒａのみを有する遮光板を適用してもよい。したがって、例えば、照明光の外径の制限は虹彩絞り１０７ｂのみによって行い、照明光の内径については３つの絞り１０７ａ〜１０７ｃにより決定するような構成を採用することができる。
【００４５】
更に、少なくとも虹彩絞り１０７ｂと水晶体絞り１０７ｃは、透光部のサイズが異なる複数のリングスリット板を含んでおり、それらが照明光学系の光軸上に択一的に切り換え配置されるように構成されている（詳細は後述する）。図４に、本実施形態における虹彩絞り１０７ｂと水晶体絞り１０７ｃの構成を表す。図４（Ａ）は、虹彩絞り１０７ｂを形成する虹彩絞り部材１０７Ｂの構成を示し、図４（Ｂ）は、水晶体絞り１０７ｃを形成する水晶体絞り部材１０７Ｃの構成を示している。
【００４６】
虹彩絞り部材１０７Ｂは、照明光を透過させる透明な板状部材を基に構成されており、人眼水晶体を有する被検眼（健常眼と呼ぶ）の観察、撮影を行うときに使用される健常眼用虹彩絞り１０７ｂ−１と、ＩＯＬが装着された被検眼の観察、撮影を行うときに使用されるＩＯＬ用虹彩絞り１０７ｂ−２とを備えている。この虹彩絞り部材１０７Ｂは、被検眼Ｅの虹彩（瞳孔）の位置における照明光の外径を制限する本発明の「外径制限手段」を構成するものである。
【００４７】
健常眼用虹彩絞り１０７ｂ−１とＩＯＬ用虹彩絞り１０７ｂ−２とは、後述する外径変更手段（ソレノイド等）により照明光の光路上に択一的に配置され、それぞれが上記の虹彩絞り（リングスリット板）１０７ｂとして作用する。
【００４８】
健常眼用虹彩絞り１０７ｂ−１には、図３に示したように、周辺遮光部Ｒａ、中心遮光部Ｒｂ、及び、それらの間に形成されたリングスリットＲｓが設けられている。同様に、ＩＯＬ用虹彩絞り１０７ｂ−２についても、周辺遮光部Ｒａ′、中心遮光部Ｒｂ、リングスリットＲｓ′が設けられている。
【００４９】
ここで、ＩＯＬ用虹彩絞り１０７ｂ−２の周辺遮光部Ｒａ′は、健常眼用虹彩絞り１０７ｂ−１の周辺遮光部Ｒａよりも広い領域に形成されており、よって、ＩＯＬ用虹彩絞り１０７ｂ−２のリングスリットＲｓ′は、健常眼用虹彩絞り１０７ｂ−１のリングスリットＲｓよりも外径が小さく形成されている。したがって、ＩＯＬ用虹彩絞り１０７ｂ−２を透過する照明光は、健常眼用虹彩絞り１０７ｂ−１を透過するときよりも外径の小さなリング状光束とされる。健常眼用虹彩絞り１０７ｂ−１のリングスリットＲｓは、本発明の「第１の透光部」を構成し、ＩＯＬ用虹彩絞り１０７ｂ−２のリングスリットＲｓ′は、本発明の「第２の透光部」を構成している。
【００５０】
なお、ＩＯＬ用虹彩絞り１０７ｂ−２のリングスリットＲｓ′の外径のサイズは、一般的なＩＯＬのレンズ本体のエッジ部やレンズ本体を支える支持部を避けて照明光が通過するような大きさに設定されている。
【００５１】
一方、水晶体絞り部材１０７Ｃも透明な板状部材を基に構成されており、健常眼の観察、撮影を行うときに使用される健常眼用水晶体絞り１０７ｃ−１と、ＩＯＬが装着された被検眼の観察、撮影を行うときに使用されるＩＯＬ用水晶体絞り１０７ｃ−２とを備えている。この水晶体絞り部材１０７Ｃは、照明光の中心領域を遮蔽して水晶体後面の位置における照明光の内径を決定する本発明の「中心遮光手段」を構成するものである。
【００５２】
健常眼用水晶体絞り１０７ｃ−１とＩＯＬ用水晶体絞り１０７ｃ−２とは、後述する内径変更手段（ソレノイド等）により照明光の光路上に択一的に配置され、それぞれが上記の水晶体絞り（リングスリット板）１０７ｃとして作用する。
【００５３】
健常眼用水晶体絞り１０７ｃ−１には、図３に示したように、周辺遮光部Ｒａ、中心遮光部Ｒｂ、及び、それらの間に形成されたリングスリットＲｓが設けられている。同様に、ＩＯＬ用水晶体絞り１０７ｃ−２についても、周辺遮光部Ｒａ、中心遮光部Ｒｂ′、リングスリットＲｓ′が設けられている。
【００５４】
ここで、ＩＯＬ用水晶体絞り１０７ｃ−２の中心遮光部Ｒｂ′は、健常眼用水晶体絞り１０７ｃ−１の中心遮光部Ｒｂよりも小さく形成されており、よって、ＩＯＬ用水晶体絞り１０７ｃ−２のリングスリットＲｓ′は、健常眼用水晶体絞り１０７ｃ−１のリングスリットＲｓよりも内径が小さく形成されている。したがって、ＩＯＬ用水晶体絞り１０７ｃ−２を透過する照明光は、健常眼用水晶体絞り１０７ｃ−１を透過するときよりも内径の小さなリング状光束とされる。健常眼用水晶体絞り１０７ｃ−１の中心遮光部Ｒｂは、本発明の「第１の中心透光部」を構成し、ＩＯＬ用水晶体絞り１０７ｃ−２のリングスリットＲｓ′は、本発明の「第２の中心透光部」を構成している。
【００５５】
さて、照明光学系１００のミラー１０８は、照明絞り１０７を透過して断面リング状とされた照明光を撮影光学系１２０の光軸方向に反射させる反射鏡である。また、液晶表示器１０９は、被検眼Ｅの固視を促すための固視標などを表示する透過型の液晶パネルである。
【００５６】
孔開きミラー１１２は、照明光学系１００の光軸と撮影光学系１２０の光軸とを合成する光学素子であり、双方の光軸をほぼ中心とする孔部１１２ａを備えている。対物レンズ１１３は、被検眼Ｅに対峙して配置されるレンズであり、本体部８の対物レンズ部８ａ内に設けられている。
【００５７】
このような照明光学系１００により、被検眼Ｅの前眼部や眼底Ｅｆは次のようにして照明される。前眼部又は眼底の観察時にはハロゲンランプ１０１から観察照明光が出射され、この観察照明光は、コンデンサレンズ１０２、１０４を介して照明絞り１０７に照射される。各リングスリット板１０７ａ〜１０７ｃのリングスリットＲＳを通過して断面リング状の光束とされた観察照明光は、ミラー１０８により反射され、液晶表示器１０９とリレーレンズ１１１とを経由し、孔開きミラー１１２により反射されて撮影光学系１２０の光軸に合成され、対物レンズ１１３により集束されて被検眼Ｅを照明する。
【００５８】
ここで、リングスリット板１０７ａ、１０７ｂ、１０７ｃは、それぞれ被検眼Ｅの角膜、瞳孔、水晶体（の後面）にほぼ共役に配置されていることから、角膜、瞳孔、水晶体にはそれぞれ対応するリングスリット板によるリングスリット像が形成される。照明光の眼底反射光は、各リングスリット像の中心暗部（中心遮光部Ｒｂ、Ｒｂ′により遮蔽された領域）を通じて被検眼Ｅから出射して撮影光学系１２０に入射する。また、被検眼Ｅの前眼部を観察するときには、観察照明光の眼底反射光が撮影光学系１２０に入射する。
【００５９】
また、眼底撮影時には、キセノンランプ１０３がフラッシュ発光され、同様の光路を通じて眼底Ｅｆを照明する。蛍光撮影の場合には、ＦＡＧ撮影かＩＣＧ撮影かに応じて、エキサイタフィルタ１０５又は１０６が選択的に光路上に配置される。
【００６０】
〔撮影光学系〕
撮影光学系１２０は、対物レンズ１１３、孔開きミラー１１２（の孔部１１２ａ）、撮影絞り１２１、バリアフィルタ１２２及び１２３、変倍レンズ１２４、リレーレンズ１２５、撮影レンズ１２６及びクイックリターンミラー１２７を含んで構成される。符号９ａは、撮像装置９の撮像媒体（ＣＣＤ（撮像素子）、カメラフィルム、インスタントフィルム等）を表している。
【００６１】
撮影絞り１２１は、例えばサイズの異なる複数の透光部が形成された円板状の部材から構成され、ステッピングモータ等により回動されることにより、各透光部が光路上に択一的に配置され、その絞り値を変更するようになっている。撮影絞り１２１の絞り値は、撮影モード（カラー撮影、ＦＡＧ撮影、ＩＣＧ撮影）、観察倍率や撮影倍率（画角）、あるいは観察深度や撮影深度などに応じて変更される。
【００６２】
バリアフィルタ１２２、１２３は、ソレノイド等により光路に対して挿脱可能とされ、ＦＡＧ撮影のときはバリアフィルタ１２２が、ＩＣＧ撮影のときにはバリアフィルタ１２３が光路上に挿入される。カラー撮影のときには、バリアフィルタ１２２、１２３は、光路上からともに退避される。
【００６３】
変倍レンズ１２４は、図示しない駆動機構によって光軸方向に移動可能とされており、観察倍率や撮影倍率の変更や、眼底像のフォーカス合わせのために用いられる。撮影レンズ１２６は、被検眼Ｅからの眼底反射光を撮像媒体９ａ上に結像させるレンズである。
【００６４】
クイックリターンミラー１２７は、回動軸１２７ａ周りに回動可能に設けられている。このクイックリターンミラー１２７は、被検眼Ｅの観察時には光路上に斜設され、眼底反射光を反射して接眼レンズ１３０やテレビカメラ１０の方向に案内する。また、クイックリターンミラー１２７は、撮像装置９で眼底を撮影するとき、上方に一瞬跳ね上げられて、眼底反射光を撮像媒体９ａに一時的に導くように制御される。
【００６５】
撮影光学系１２０には、クイックリターンミラー１２７により反射された眼底反射光を案内する、フィールドレンズ（視野レンズ）１２８、切換ミラー１２９、接眼レンズ１３０、リレーレンズ１３１、反射ミラー１３２及びリレーレンズ１３３が設けられている。
【００６６】
切換ミラー１２９は、クイックリターンミラー１２７と同様に、回動軸１２９ａ周りに回動しれ光路上に挿脱可能とされている。なお、切換ミラー１２９の光路に対する挿脱は、手動により操作するように構成してもよいし、観察態様の切換操作に連動して自動的に行われるように構成してもよい。
【００６７】
切換ミラー１２９は、検者が接眼レンズ部８ｂをのぞき込んで被検眼Ｅを観察するときには光路上に斜設配置されて、光束を接眼レンズ１３０に導く。
【００６８】
また、テレビカメラ１０で被検眼Ｅを撮影するときには、切換ミラー１２９は光路上から退避される。被検眼Ｅからの前眼部反射光や眼底反射光は、リレーレンズ１３１、ミラー１３２、リレーレンズ１３３を介して撮像素子（ＣＣＤ）１０ａに投影される。
【００６９】
モニタ１１には、テレビカメラ１０によって撮影された前眼部像や眼底像Ｅｆ′が表示される。検者は、その表示画像を視認することによって被検眼Ｅの前眼部観察、眼底観察を行う。なお、撮像装置９としてＣＣＤ等の撮像素子を撮像媒体９ａとするテレビカメラやデジタルカメラを適用する場合、撮像装置９による撮影画像もモニタ１１に表示できるようにしてもよい。
【００７０】
［制御系の構成］
図５は、本実施形態の眼底カメラ１の制御系の概略構成を表している。眼底カメラ１の制御系は、上述のように、例えば本体部８内に設けられている。
【００７１】
眼底カメラ１の制御系は、制御部３０と、コントロールパネル３ａに設けられたＩＯＬモード設定キー３１と、パルスモータ３２ａ、３２ｂ、３２ｃと、ソレノイド３３ｂ、３３ｃとを含んで構成されている。なお、眼底カメラ１にコンピュータ装置を接続しシステムとして運用する場合には、当該コンピュータ装置のＣＰＵ等を制御部３０として構成することも可能である。
【００７２】
制御部３０は、ＣＰＵ等の演算制御装置を含んで構成され、図示しないＲＯＭやハードディスクドライブ等の記憶装置に格納されたコンピュータプログラムを実行することにより、いずれも図示を省略するが、ハロゲンランプ１０１やキセノンランプ１０３による照明光の切り換えの制御、クイックリターンミラー１２７や切換ミラー１２９による光路の切り換えの制御、エキサイタフィルタ１０５、１０６やバリアフィルタ１２２、１２３の挿脱の制御、変倍レンズ１２４の駆動制御、撮像装置９やテレビカメラ１０による撮影の制御、モニタ１１による撮影画像の表示制御などを行う。また、制御部３０は、ジョイスティック４の傾倒操作に応じて装置各部を制御し、特に、ジョイスティック４の操作ボタン４ａの押下に対応して眼底撮影を実行するように制御を行う。
【００７３】
ＩＯＬモード設定キー３１は、眼底カメラ１による観察、撮影対象の被検眼ＥにＩＯＬが装着されているときに操作される。ＩＯＬモード設定キー３１が操作されると、被検眼ＥにＩＯＬが装着されている旨を表す信号がＩＯＬモード設定キー３１から制御部３０に入力される。このＩＯＬモード設定キー３１は、本発明にいう「入力手段」に相当するものである。
【００７４】
パルスモータ３２ａ、３２ｂ、３２ｃは、それぞれ、角膜絞り１０７ａ、虹彩絞り部材１０７Ｂ、水晶体絞り部材１０７Ｃを照明光学系１００の光軸方向に駆動する。各パルスモータ３２ａ、３２ｂ、３２ｃは、例えば、コントロールパネル３ａやジョイスティック４に対する操作に応じて制御部３０により動作制御される。
【００７５】
ソレノイド３３ｂは、本発明の「外径変更手段」及び「駆動手段」を構成しており、虹彩絞り部材１０７Ｂを駆動制御することにより、健常眼用虹彩絞り１０７ｂ−１とＩＯＬ用虹彩絞り１０７ｂ−２とを照明光学系１００の光軸上に択一的に配置させる。同様に、ソレノイド３３ｃは、本発明の「内径変更手段」及び「駆動手段」を構成しており、水晶体絞り部材１０７Ｃを駆動制御することにより、健常眼用水晶体絞り１０７ｃ−１とＩＯＬ用水晶体絞り１０７ｃ−２とを照明光学系１００の光軸上に択一的に配置させる。ソレノイド３３ｂ、３３ｃは、それぞれ、制御部３０によって動作制御される。
【００７６】
［動作態様］
以上のような構成を備える眼底カメラ１の動作態様の一例について説明する。
【００７７】
眼底カメラ１による観察、撮影対象の被検眼ＥにＩＯＬが装着されている場合、検者は、コントロールパネル３ａのＩＯＬモード設定キー３１を操作する。制御部３０は、ＩＯＬモード設定キー３１からの入力信号を受信すると、照明絞り１０７の状態を次のようなＩＯＬモードに設定する。ここで、被検眼Ｅに対する光学系のアライメントや、パルスモータ３２ａ、３２ｂ、３２ｃによる角膜絞り１０７ａ、虹彩絞り部材１０７Ｂ、水晶体絞り部材１０７Ｃの位置調整等の予備的な処理は完了しているものとする。
【００７８】
制御部３０は、ＩＯＬモード設定キー３１からの入力信号を受信すると、ソレノイド３３ｂを制御してＩＯＬ用虹彩絞り１０７ｂ−２を照明光学系１００の光軸上に配置させるとともに、ソレノイド３３ｃを制御してＩＯＬ用水晶体絞り１０７ｃ−２を照明光学系１００の光軸上に配置させる。
【００７９】
照明絞り１０７をこのようなＩＯＬモードに設定した状態で、当該被検眼Ｅに対する観察、撮影を実行する。当該被検眼Ｅの眼底撮影が終了したら、例えば、検者は、撮影した眼底像をモニタ１１等に表示させ、診断等のために保存する眼底像を選択して保存処理を行う。眼底像は、例えば、眼底カメラ１に接続されたコンピュータ装置やサーバにより管理される当該被検者の電子カルテに保存される。眼底像の保存処理が終了すると、制御部３０は、ソレノイド３３ｂ、３３ｃを制御して、健常眼用虹彩絞り１０７ｂ−１及び健常眼用水晶体絞り１０７ｃ−１を照明光学系１００の光軸上に配置させる。
【００８０】
なお、ＩＯＬモードを解除するためのキー等をコントロールパネル３ａ等に設け、それを操作することによってＩＯＬモードから健常眼モードに切り換えるようにしてもよい。また、眼底カメラ１の電源投入時などに自動的に健常眼モードに設定されるようにしてもよい。また、ＩＯＬを装着した被検眼を連続して検査するような場合には、ＩＯＬモードに一時的に固定するようにしてもよい。ＩＯＬモードに固定する操作としては、例えば、ＩＯＬモード設定キー３１を２回続けて操作することによりＩＯＬモードを固定できるように構成すればよい。
【００８１】
［作用、効果］
このような動作を実行する眼底カメラ１によれば、次のような作用、効果が奏される。
【００８２】
まず、ＩＯＬ用虹彩絞り１０７ｂ−２のリングスリットＲｓ′は、健常眼用虹彩絞り１０７ｂ−１のリングスリットＲｓと比較して外径が小さいことから、虹彩に形成されるリングスリット像の外径が小さくなる。よって、被検眼Ｅ内のＩＯＬに入射する照明光の外径が小さくなるので、ＩＯＬのレンズ本体のエッジ部や支持部における散乱が抑制され、フレアの発生が防止される。したがって、本実施形態の眼底カメラ１によれば、ＩＯＬを装着した被検眼Ｅの眼底を撮影するときに、照明絞り１０７をＩＯＬ用の設定に切り換えるだけで、フレアのない眼底像を容易に取得することが可能である。そのための操作も、ＩＯＬモード設定キー３１を操作するだけの簡単なものである。
【００８３】
また、ＩＯＬ用水晶体絞り１０７ｃ−２の中心遮光部Ｒｂ′は、健常眼用水晶体絞り１０７ｃ−１の中心遮光部Ｒｂと比較して径が小さいことから、ＩＯＬ用水晶体絞り１０７ｃ−２のリングスリットＲｓ′を透過する照明光の断面積は、健常眼用水晶体絞り１０７ｃ−１のリングスリットＲｓを透過する照明光の断面積よりも大きくなる。これは、光源の出力光量を増加させない限り、透過する照明光の光量が大きくなることを意味する。したがって、ＩＯＬ用虹彩絞り１０７ｂ−２を使用するときに、水晶体絞り１０７ｃをＩＯＬ用水晶体絞り１０７ｃ−２に切り換えることにより、被検眼Ｅに照射される照明光の光量が増加されるので、明るい眼底像を撮影することが可能となる。
【００８４】
［変形例］
上記実施形態における虹彩絞り部材１０７Ｂ（外径制限手段）は、図４（Ａ）に示したように、比較的大きな直径を有する健常眼用のリングスリットＲｓ（透光部）と、比較的小さな直径を有するリングスリットＲｓ′（透光部）とを有する構成とされている。本発明に係る外径制限手段が具備する透光部の個数は、このように２つに限定されるものではなく、３つ以上の透光部を任意に設けることが可能である。その場合、例えば、ＩＯＬのレンズ本体のサイズ等に応じて、様々な直径の透光部を外径制限手段に設け、ソレノイドやパルスモータ等の駆動装置（外径変更手段）により、それら複数の透光部を光軸上に切り換え配置させるように構成することができる。このとき、透光部の選択は、コントロールパネル３ａに設けた選択キーなどによって行うことができる。
【００８５】
同様に、本発明に係る中心遮光手段についても、上記実施形態の水晶体絞り部材１０７Ｃのように、遮光部の個数は２つ（図４（Ｂ）の中心遮光部Ｒｂ、Ｒｂ′）に限定されるものではなく、直径の異なる中心遮光部を有する絞りを３つ以上設けてもよい。
【００８６】
また、上記実施形態における虹彩絞り１０７ｂの透光部はリング状に形成されているが、本発明に係る眼科撮影装置においては、例えば円形状の透光部を適用してもよい。また、水晶体絞り１０７ｃや角膜絞り１０７ａについても、上記実施形態のようなリングスリット板ではなく、中心遮光部として作用する遮光板を適用することが可能である。
【００８７】
更に、本発明に係る照明絞りとして、透過型の液晶パネルなどを用いることができる。その場合、当該液晶パネルは、通常の液晶駆動装置によって駆動されることにより、周辺遮光部、中央遮光部、透光部を形成する。
【００８８】
また、上記実施形態の照明絞り１０７は、角膜絞り１０７ａ、虹彩絞り１０７ｂ、水晶体絞り１０７ｃの３つの絞りを備えているが、１つ、２つ、あるいは４つ以上の絞りを有する構成としてもよい。例えば、単一の照明絞りとそれを光軸方向に移動させる駆動装置とを設けることにより、当該照明絞りを角膜、虹彩、水晶体等に対応する絞りとして作用させる構成を適用することも可能である。その場合、例えば、当該照明絞りが虹彩に略共役に配置されているときには、ＩＯＬモードとしてその外径を小さくするよう制御し、水晶体に略共役に配置されているときには、リングスリットの内径を小さくするよう制御するように構成することができる。２つあるいは４つ以上の絞りを含む場合についても同様の制御を行うことができる。
【００８９】
眼底カメラ１が、患者の電子カルテを管理する電子カルテ管理システムに接続されている場合において、被検者の電子カルテにＩＯＬを装着している旨が記載されているときに、ＩＯＬ情報（ＩＯＬを装着している旨を示す情報）を当該システムから眼底カメラ１に自動入力して照明絞り１０７をＩＯＬモードに自動設定することも可能である。
【００９０】
また、本実施形態の眼底カメラ１に、後述の第２の実施形態や第３の実施形態の構成（補正手段等）を付加した構成とすることもできる。すなわち、眼内レンズが装着された被検眼Ｅに対して照明光の外径が小さく変更されて撮影された眼底像の色バランスを、健常眼について撮影される眼底像の色バランスに合わせるように補正するように構成することができる。
【００９１】
〈第２の実施形態〉
本発明に係る眼科撮影装置の第２の実施形態について説明する。本実施形態の眼科撮影装置は、被検眼にＩＯＬが装着されているときに、当該ＩＯＬが撮影画像の色バランスに与える影響を低減して、人眼水晶体の被検眼に対する撮影画像の色合いに補正するように作用する。
【００９２】
ここで、「色バランス」とは、撮影画像の色を構成する基準となる色（ＲＧＢ（赤、緑、青）、ＣＭＹ（シアン、マゼンタ、黄）など；基準色と呼ぶこととする）のバランスを意味する。本実施形態では、ＣＣＤ等の電子的な撮像素子を用いて画像を取得する。一般に、カラー撮影用のＣＣＤは、撮影光をＲＧＢに分解して検出する原色ＣＣＤと、ＣＭＹに分解して検出する補色ＣＣＤとに分類されることがある。本実施形態では原色ＣＣＤを用いた構成を適用するが、補色ＣＣＤを用いる場合についても同様に構成することができる。なお、一般に、原色ＣＣＤは色再現性に優れ、補色ＣＣＤは検出感度に優れているとされる。
【００９３】
本実施形態の眼科撮影装置（眼底カメラ）は、第１の実施形態と同様の外観構成（図１参照）及び光学系の構成（図２参照）を備えている。以下、第１の実施形態と同様の構成部分については、図１、図２に示した符号を用いて説明を行う。なお、本実施形態では、原色ＣＣＤを撮像素子９ａ、１０ａとする撮像装置９及びテレビカメラ１０を用いる。なお、撮像装置９とテレビカメラ１０は、それぞれ、本発明にいう「撮像手段」を構成している。
【００９４】
［制御系の構成］
図６に、本実施形態の眼底カメラ２００の制御系の構成を示す。眼底カメラ２００は、制御部２１０、補正情報記憶部２２０、色バランス補正部、撮影画像格納部２４０を備えている。また、コントロールパネル３ａには、ＩＯＬモード設定キー２５１、ＩＯＬ製品名入力キー２５２、レンズ色入力キー２５３が設けられている。
【００９５】
コントロールパネル３ａのＩＯＬモード設定キー２５１は、本発明の「入力手段」を構成するもので、被検眼にＩＯＬが装着されているときに操作されるキーである。このＩＯＬモード設定キー２５１が操作されると、制御部２１０の制御の下に後述の補正処理が実行される。
【００９６】
ＩＯＬ製品名入力キー２５２は、本発明の「種類入力手段」を構成するもので、各種ＩＯＬの製品名を入力するために操作される。このＩＯＬ製品名入力キー２５２は、例えば、コントロールパネル３ａの表示領域や眼底カメラ２００のモニタ１１に一覧表示される各種ＩＯＬの製品名から所望の製品名を選択入力するためのキーである。
【００９７】
レンズ色入力キー２５３は、本発明の「レンズ色入力手段」を構成するものであり、被検眼に装着されたＩＯＬのレンズ本体の色を入力するために操作され、例えば「黄」、「透明」、「薄青」等の各種のレンズ色のキーによって構成される。
【００９８】
撮像装置９やテレビカメラ１０は、それぞれ、上述のように（原色）ＣＣＤを撮像素子９ａ、１０ａとして備えており、撮影光をＲ、Ｇ、Ｂの成分に分解して各成分の強度を検出することにより撮影画像の色を形成する。撮像装置９やテレビカメラ１０により撮影された画像のデータ（撮影画像データ２４１）は、イメージメモリ等の画像記憶装置からなる撮影画像格納部２４０に保存される。撮影画像データ２４１は、Ｒ成分の強度情報であるＲ画像データ２４１Ｒ、Ｇ成分の強度情報であるＧ画像データ２４１Ｇ、Ｂ成分の強度情報であるＢ画像データ２４１Ｂとして成分毎に保存される。
【００９９】
制御部２１０は、第１の実施形態の制御部３０と同様に、ＣＰＵ等の演算制御装置を含んで構成され、ＲＯＭやハードディスクドライブ等に格納されたコンピュータプログラムを実行することにより装置各部の制御を行う。特に、制御部２１０は、撮像装置９やテレビカメラ１０による撮影画像の保存処理、色バランス補正部２３０の動作制御などを行う。
【０１００】
補正情報記憶部２２０は、ＲＯＭやハードディスクドライブ等の不揮発性の記憶装置から構成されており、以下に説明するようなＩＯＬ分光特性情報２２１、人眼水晶体分光特性情報２２２及びレンズ色分光特性情報２２３をあらかじめ記憶している。補正情報記憶部２２０に記憶される情報の更新や追加は、適宜行うことができる。なお、補正情報記憶部２２０は、本発明の「記憶手段」を構成するものである。
【０１０１】
ＩＯＬ分光特性情報２２１は、本発明にいう「複数種類の眼内レンズの分光特性情報」に相当し、ＩＯＬを透過した光をＲ成分、Ｇ成分、Ｂ成分に分解したときの各成分の強度比を含んだ分光特性情報である。ここで、例えば、Ｒ成分は６００〜７００ｎｍの波長成分に対応し、Ｇ成分は５００〜６００ｎｍの波長成分に対応し、Ｂ成分は４００〜５００ｎｍの波長成分に対応する。
【０１０２】
図７は、ＩＯＬ分光特性情報２２１の一例を表す概念図である。ＩＯＬ分光特性情報２２１は、同図に示すように、各種ＩＯＬ製品（製品名Ａ〜Ｈ）についてのＲＧＢの各成分の強度比（％）によって形成される。例えば、製品名ＡのＩＯＬを透過した光のＲ成分、Ｇ成分、Ｂ成分の強度比は、３７％：３５％：２８％となる。なお、図７中の製品名Ａ〜Ｃは黄色タイプの着色ＩＯＬであり、製品名Ｄ〜Ｆは透明タイプのＩＯＬであり、製品名Ｇ、Ｈは薄青色タイプのＩＯＬである。もちろん、ＩＯＬ分光特性情報２２１は、その他のタイプのＩＯＬを含んでいてもよいし、製品数も任意である。
【０１０３】
ＩＯＬ分光特性情報２２１に含まれる各製品の分光特性情報は、メーカや販売者等により開示されるデータを利用してもよいし、当該眼底カメラ２００のキセノンランプ１０３と同スペックの光源や白色光などを用いてあらかじめ計測して求めることもできる。
【０１０４】
人眼水晶体分光特性情報２２２は、人眼水晶体を透過した光をＲ成分、Ｇ成分、Ｂ成分に分解したときの各成分の強度比を含んだ分光特性情報であり、上記のＩＯＬ分光特性情報２２１と同様の形式にて記憶される。この人眼水晶体分光特性情報２２２としては、例えば臨床データなどが用いられる。一般に、水晶体は短波長（Ｂ成分）を若干吸収するので、それを透過した光は黄色味を帯びている。ここで、人眼水晶体分光特性情報２２２を、Ｒ：Ｇ：Ｂ＝３５％：３８％：２７％とする。
【０１０５】
レンズ色分光特性情報２２３は、各種レンズ色のＩＯＬにおける代表的なＲＧＢの各成分の強度比を含んだ分光特性情報である。図８は、レンズ色分光特性情報２２３の一例を表す概念図であり、レンズ色が黄色、透明、薄青色のＩＯＬの代表的なＲＧＢの各成分の強度比が含まれている。当該情報は、例えば、同系色の複数のＩＯＬについての強度比の平均値として求めることができる。
【０１０６】
ここで、ＩＯＬ分光特性情報２２１、人眼水晶体分光特性情報２２２及びレンズ色分光特性情報２２３を求めるときには、それぞれ同一の測定光を用いることが好ましい。また、当該測定光としては、上述のキセノンランプからの光や白色光を用いる。特に、白色光は、各波長における強度が平均化されているので、これらの情報２２１〜２２３を求めるためのＲＧＢの強度比の測定に好適であると考えられる。なお、これら情報２２１〜２２３はＲＧＢにおける強度比として形成されるため、レーザ光等の単色光は当該測定光としては不適当である。
【０１０７】
色バランス補正部２３０は、所定のコンピュータプログラムを実行するＣＰＵ等の演算制御装置により構成され、分光特性情報選択部２３１、補正係数算出部２３２及びＲＧＢ補正処理部２３３を含んでいる。この色バランス補正部２３０は、本発明の「補正手段」を構成している。
【０１０８】
分光特性情報選択部２３１は、コントロールパネル３ａのＩＯＬ製品名入力キー２５２により入力された製品名に該当する分光特性情報を補正情報記憶部２２０のＩＯＬ分光特性情報２２１から選択する処理を行う。また、分光特性情報選択部２３１は、入力された製品名に該当する分光特性情報がＩＯＬ分光特性情報２２１に含まれていない場合、レンズ色入力キー２５３から入力されたレンズ色における代表的な分光特性情報をレンズ色分光特性情報２２３から選択する。
【０１０９】
補正係数算出部２３２は、分光特性選択部２３１により選択された分光特性情報と人眼水晶体分光特性情報２２２とに基づいて当該補正処理における補正係数を算出する。当該補正係数は、選択された分光特性情報（被検眼内のＩＯＬにおけるＲＧＢの各成分の強度比；図７参照）を、人眼水晶体分光特性情報２２２に示す強度比に合わせるように補正する係数情報である。例えば、製品名ＡのＩＯＬにおける強度比３７％：３５％：２８％を人眼水晶体の強度比３５％：３８％：２７％に合わせるための補正係数（ＫＲ、ＫＧ、ＫＢ）は、例えば、ＫＲ＝３５／３７≒０．９４６、ＫＧ＝３８／３５≒１．０８６、ＫＢ＝２７／２８≒０．９６４とされる。
【０１１０】
ＲＧＢ補正処理部２３３は、補正係数算出部２３２により求められた補正係数（ＫＲ、ＫＧ、ＫＢ）に基づいて、撮像装置９やテレビカメラ１０による撮影画像の色バランスを補正する処理を実行する。すなわち、ＲＧＢ補正処理部２３３は、撮影画像格納部２４０に保存された撮影画像データ２４１を上記補正係数を用いて補正する。例えば、ＲＧＢ補正処理部２３３は、Ｒ成分の検出強度であるＲ画像データ２４１Ｒに補正係数ＫＲを乗算し、Ｇ成分の検出強度であるＧ画像データ２４１Ｇに補正係数ＫＧを乗算し、Ｂ成分の検出強度であるＢ画像データ２４１Ｂに補正係数ＫＢを乗算することにより、撮影画像の色バランス補正処理を行う。
【０１１１】
［動作態様］
以上のような構成を備える眼底カメラ２００の動作態様の一例について説明する。
【０１１２】
眼底カメラ２００による観察、撮影対象の被検眼ＥにＩＯＬが装着されている場合、検者は、コントロールパネル３ａのＩＯＬモード設定キー２５１を操作する。制御部２１０は、ＩＯＬモード設定キー２５１からの入力信号を受信すると、色バランス補正部２３０を動作状態にする。
【０１１３】
また、検者は、被検眼Ｅ内のＩＯＬの製品名をＩＯＬ製品名入力キー２５２を操作して入力する。入力された製品名は、例えば図示しないＲＡＭ等に記録される。なお、製品名は、例えばカルテ等を参照するなどして入力される。
【０１１４】
ＩＯＬ製品名入力キー２５２における選択肢に当該ＩＯＬの製品名がない場合、検者は、レンズ色入力キー２５３を操作して当該ＩＯＬのレンズ色を入力する。入力されたレンズ色は、例えばＲＡＭ等に記録される。
【０１１５】
分光特性情報選択部２３１は、ＩＯＬ製品名入力キー２５２から入力された製品名に対応する分光特性情報をＩＯＬ分光特性情報２２１から選択する。また、当該ＩＯＬの製品名がない場合においては、分光特性情報選択部２３１は、レンズ色入力キー２５３から入力されたレンズ色において代表的な分光特性情報をレンズ色分光特性情報２２３から選択する。
【０１１６】
補正係数算出部２３２は、分光特性情報選択部２３１により選択された分光特性情報と人眼水晶体分光特性情報２２２の分光特性情報とに基づいて補正係数（ＫＲ、ＫＧ、ＫＢ）を算出する。算出された補正係数（ＫＲ、ＫＧ、ＫＢ）は、例えばＲＡＭ等に記録される。
【０１１７】
撮像装置９あるいはテレビカメラ１０により被検眼Ｅの眼底像が撮影されると、制御部２１０は、その撮影画像データ２４１をＲＧＢの各成分毎の画像データ（Ｒ画像データ２４１Ｒ、Ｇ画像データ２４１Ｇ、Ｂ画像データ２４１Ｂ）として撮影画像格納部２４０に保存する。
【０１１８】
ＲＧＢ補正処理部２３３は、補正係数ＫＲに基づいてＲ画像データ２４１Ｒを変更し、補正係数ＫＧに基づいてＧ画像データ２４１Ｇを変更し、補正係数ＫＢに基づいてＢ画像データ２４１Ｂを変更することにより、撮影された眼底像の色バランスを補正する。制御部２１０は、補正された眼底像を撮影画像格納部２４０に保存し、検者等の要求に応じて当該補正された眼底像をモニタ１１等に表示させる。
【０１１９】
［作用、効果］
以上のような撮影画像の補正処理によれば、被検眼Ｅに装着されたＩＯＬの製品名を入力するだけで、当該ＩＯＬにおけるＲＧＢの各成分の強度比を人眼水晶体における強度比に合わせるように撮影画像が補正されるので、健常眼に対する撮影画像に近い色合いの眼底像を容易に取得することが可能である。
【０１２０】
また、その製品名がＩＯＬ分光特性情報２２１に登録されていない場合であっても、当該ＩＯＬのレンズ本体の色を入力するだけで、同様に、健常眼に対する撮影画像に近い色合いの眼底像を容易に取得することができる。
【０１２１】
したがって、本実施形態によれば、ＩＯＬのタイプによらずに人眼水晶体に近い色味の撮影像を取得することが可能となるので、例えば眼底像に写った眼底の出血部位や病変部などを明確に視認できる。それにより、被検眼Ｅの眼底の状態を精度よく確認することができ、正確で効果的な診療を行うことが可能となる。
【０１２２】
［変形例］
上記第２の実施形態においては、補正情報記憶部２２０に記憶されているＩＯＬや人眼水晶体の分光特性情報から補正係数を算出するような構成が適用されているが、例えば、各種ＩＯＬに対応する補正係数をあらかじめ算出して補正情報記憶部２２０に記憶しておき、検査時においてコントロールパネル３ａから入力されたＩＯＬの製品名やレンズ色に対応する補正係数を選択して補正処理を行うように構成することも可能である。それにより、補正処理に掛かる時間の短縮を図ることができる。
【０１２３】
上記のＩＯＬ分光特性情報２２１は、各製品についての分光特性情報により形成されているが、例えば、類似の製品をグループ化して各グループ毎に分光特性情報を付与した構成としてもよい。
【０１２４】
本実施形態は、ＩＯＬの種類（製品名）に応じて眼底像の色バランスを補正するように構成されているが、製品名以外のＩＯＬの種類（識別子）に応じた補正処理を行ってもよい。
【０１２５】
コントロールパネル３ａのＩＯＬ製品名入力キー２５２やレンズ色入力キー２５３による入力態様としては、上記の方式以外にも、例えばプルダウンメニュー等により選択入力する構成を採用することができる。
【０１２６】
補正係数の算出方法やＲＧＢ補正処理部２３３による補正方法についても、任意の方法を適宜用いることが可能である。
【０１２７】
補正時に入力されたＩＯＬの製品名やレンズ色等のデータを、補正された眼底像とともに保存するように構成してもよい。また、当該入力されたデータを眼底像とともにモニタ１１等に表示させることも可能である。それにより、当該ＩＯＬの種類を確認でき、また、当該眼底像がどのようなＩＯＬを介して撮影されたかを確認することが可能となる。
【０１２８】
補正に用いた補正係数を撮影画像データとともに保存し、どのような補正処理が行われたかを後で確認できるようにしてもよい。また、当該補正係数を用いて撮影画像データを元のデータに逆変換することも可能である。
【０１２９】
眼底像を検出する撮像素子９ａ、１０ａとしては、例えばＣＭＯＳセンサなどＣＣＤ以外の撮像素子を用いてもよい。
【０１３０】
本実施形態の眼底カメラ２００が電子カルテ管理システムに接続されている場合、当該被検者の電子カルテからＩＯＬの製品名やレンズ色が自動入力されるように構成できる。
【０１３１】
〈第３の実施形態〉
本発明に係る眼科撮影装置（眼底カメラ）の第３の実施形態について説明する。本実施形態の眼科撮影装置は、上述した第２の実施形態と同様に、被検眼にＩＯＬが装着されているときに、当該ＩＯＬが撮影画像の色バランスに与える影響を低減して、人眼水晶体の被検眼に対する撮影画像の色合いに補正するものである。
【０１３２】
上記第２の実施形態は、コントロールパネル３ａなどから入力されたＩＯＬの製品名やレンズ色に基づいて撮影画像の色バランス補正を行うものであったが、本実施形態は、被検眼Ｅ内のＩＯＬの画像を撮影し、その画像を解析することによって水晶体の分光特性情報を取得し、その分光特性情報に基づいて撮影画像の補正を行うように構成されている点が特徴的である。
【０１３３】
本実施形態の眼科撮影装置は、第１、第２の実施形態と同様の外観構成（図１参照）及び光学系の構成（図２参照）を備えている。以下、それらと同様の構成部分については、図１、図２に示した符号を用いて説明を行う。なお、本実施形態においても、第２の実施形態と同様に原色ＣＣＤを撮像素子９ａ、１０ａとする撮像装置９及びテレビカメラ１０を用いるが、補色ＣＣＤを撮像素子とした場合についても同様の補正処理を実行できる。
【０１３４】
図９は、本実施形態の眼底カメラ３００の制御系の構成を表すブロック図である。眼底カメラ３００は、制御部３１０、前眼部像格納部３２０、色バランス補正部３３０、撮影画像格納部３４０及び補正情報記憶部３５０を備えている。また、コントロールパネル３ａには、被検眼にＩＯＬが装着されているときに操作されるＩＯＬモード設定キー３６１が本発明の「入力手段」として設けられている。
【０１３５】
撮像装置９やテレビカメラ１０は、それぞれ、原色ＣＣＤを撮像素子９ａ、１０ａとして備えており、撮影光をＲ、Ｇ、Ｂの成分に分解して各成分の強度を検出することにより撮影画像の色を形成する。
【０１３６】
撮像装置９やテレビカメラ１０により撮影された被検眼Ｅの眼底像の画像データ（撮影画像データ３４１）は、イメージメモリ等の画像記憶装置からなる撮影画像格納部３４０に保存される。撮影画像データ３４１は、Ｒ成分の強度情報であるＲ画像データ３４１Ｒ、Ｇ成分の強度情報であるＧ画像データ３４１Ｇ、Ｂ成分の強度情報であるＢ画像データ３４１Ｂとして成分毎に保存される。
【０１３７】
また、撮像装置９やテレビカメラ１０により撮影された被検眼Ｅの前眼部像の画像データ（前眼部像データ３２１）は、イメージメモリ等の画像記憶装置からなる前眼部像格納部３２０に保存される。前眼部像データ３２１は、撮影画像データ３４１と同様に、Ｒ成分の強度情報であるＲ画像データ３２１Ｒ、Ｇ成分の強度情報であるＧ画像データ３２１Ｇ、Ｂ成分の強度情報であるＢ画像データ３２１Ｂとして成分毎に保存される。撮影される前眼部像には、被検眼Ｅに装着されたＩＯＬの画像（ＩＯＬ画像）が含まれている。なお、前眼部像を撮影するとき、ＩＯＬの拡大画像を撮影するようにしてもよい。
【０１３８】
制御部３１０は、第２の実施形態の制御部２１０と同様に、ＣＰＵ等の演算制御装置を含んで構成され、ＲＯＭやハードディスクドライブ等に格納されたコンピュータプログラムを実行することにより装置各部の制御を行う。
【０１３９】
補正情報記憶部３５０は、ＲＯＭやハードディスクドライブ等の不揮発性の記憶装置から構成されており、人眼水晶体によりされた光をＲ成分、Ｇ成分、Ｂ成分に分解したときの各成分の強度比を含んだ人眼水晶体分光特性情報３５１をあらかじめ記憶している。この補正情報記憶部３５０は、本発明の「記憶手段」を構成するものである。
【０１４０】
ここで、上記第２の実施形態における人眼水晶体分光特性情報２２２が水晶体を「透過」した光に関する情報（つまり分光透過率に関連する情報）であったのに対し、本実施形態の人眼水晶体分光特性情報３５１は、水晶体により「反射」された光に関する情報（つまり分光反射率に関連する情報）とされている。なお、人眼水晶体による光の散乱に関する情報を当該人眼水晶体分光特性情報３５１に反映させてもよい。
【０１４１】
色バランス補正部３３０は、所定のコンピュータプログラムを実行するＣＰＵ等の演算制御装置により構成され、前眼部像解析部３３１、補正係数算出部３３２及びＲＧＢ補正処理部３３３を含んでいる。この色バランス補正部３３０は、本発明の「補正手段」を構成している。
【０１４２】
前眼部像解析部３３１は、本発明にいう「解析手段」に相当するものであり、前眼部像格納部３２０に保存される前眼部像データ３２１を解析して、当該前眼部像に含まれるＩＯＬの分光特性情報を取得する処理を行う。より詳しくは、前眼部像解析部３３１は、撮像装置９等のＣＣＤによる前眼部反射光の検出結果、すなわち前眼部像データ３２１のＲ画像データ３２１Ｒ、Ｇ画像データ３２１Ｇ、Ｂ画像データ３２１Ｂの強度に基づいて、前眼部像データ３２１が表すＩＯＬ画像のＲＧＢの各成分の強度比を取得する。ここで、ＩＯＬ画像は、ＩＯＬにおける照明光の反射光を検出することにより形成される画像である。
【０１４３】
補正係数算出部３３２は、前眼部像解析部３１により取得されたＩＯＬ画像の各成分の強度比と人眼水晶体分光特性情報３５１とに基づいて、第２の実施形態と同様の補正係数（ＫＲ、ＫＧ、ＫＢ）を算出する。各補正係数ＫＲ、ＫＧ、ＫＢは、ＩＯＬ画像におけるＲＧＢの各成分の強度比を人眼水晶体における強度比に合わせるように補正する係数情報である。
【０１４４】
ＲＧＢ補正処理部３３３は、第２の実施形態と同様に、補正係数算出部３３２により算出された補正係数（ＫＲ、ＫＧ、ＫＢ）に基づいて、撮像装置９やテレビカメラ１０による撮影画像の色バランスを補正する処理を実行する。例えば、ＲＧＢ補正処理部３３３は、Ｒ成分の検出強度であるＲ画像データ３４１Ｒに補正係数ＫＲを乗算し、Ｇ成分の検出強度であるＧ画像データ３４１Ｇに補正係数ＫＧを乗算し、Ｂ成分の検出強度であるＢ画像データ３４１Ｂに補正係数ＫＢを乗算することにより、撮影画像の色バランス補正処理を行う。
【０１４５】
［動作態様］
以上のような構成を備える眼底カメラ３００の動作態様の一例について説明する。
【０１４６】
眼底カメラ３００による観察、撮影対象の被検眼ＥにＩＯＬが装着されている場合、検者は、コントロールパネル３ａのＩＯＬモード設定キー３６１を操作する。制御部３１０は、ＩＯＬモード設定キー３６１からの入力信号を受信すると、色バランス補正部３３０を動作状態にする。
【０１４７】
検者は、眼底カメラ３００を操作して、撮像装置９又はテレビカメラ１０により被検眼Ｅの前眼部像を撮影する。撮影された前眼部像のデータ（前眼部像データ３２１）は、制御部３１０により、Ｒ画像データ３２１Ｒ、Ｇ画像データ３２１Ｇ、Ｂ画像データ３２１Ｂのように各成分毎の画像データとして前眼部像格納部３２０に保存される。
【０１４８】
前眼部像解析部３３１は、前眼部像格納部３２０に保存された前眼部像データ３２１のＲ画像データ３２１Ｒ、Ｇ画像データ３２１Ｇ、Ｂ画像データ３２１Ｂのそれぞれの強度を比較することにより、被検眼Ｅに装着されたＩＯＬの画像におけるＲＧＢの各成分の強度比を算出する。
【０１４９】
補正係数算出部２３２は、前眼部像解析部３３１により算出されたＩＯＬ画像におけるＲＧＢの各成分の強度比と、人眼水晶体分光特性情報３５１に示す強度比とに基づいて、補正係数（ＫＲ、ＫＧ、ＫＢ）を算出する。算出された補正係数（ＫＲ、ＫＧ、ＫＢ）は、例えばＲＡＭ等に記録される。
【０１５０】
撮像装置９あるいはテレビカメラ１０により被検眼Ｅの眼底像が撮影されると、制御部３１０は、その撮影画像データ３４１をＲＧＢの各成分毎の画像データ（Ｒ画像データ３４１Ｒ、Ｇ画像データ３４１Ｇ、Ｂ画像データ３４１Ｂ）として撮影画像格納部３４０に保存する。
【０１５１】
ＲＧＢ補正処理部３３３は、補正係数ＫＲに基づいて撮影画像データ３４１のＲ画像データ３４１Ｒを変更し、補正係数ＫＧに基づいてＧ画像データ３４１Ｇを変更し、補正係数ＫＢに基づいてＢ画像データ３４１Ｂを変更することにより、撮影された眼底像の色バランスを補正する。制御部３１０は、補正された眼底像を撮影画像格納部３４０に保存し、検者等の要求に応じて当該補正された眼底像をモニタ１１等に表示させる。
【０１５２】
［作用、効果］
以上のような撮影画像の補正処理によれば、ＩＯＬが装着された被検眼Ｅの前眼部像（ＩＯＬ画像）を撮影するだけで、当該ＩＯＬにおけるＲＧＢの各成分の強度比を人眼水晶体における強度比に合わせるように撮影画像が補正されるので、健常眼に対する撮影画像に近い色合いの眼底像を容易に取得することが可能である。また、被検眼Ｅに装着されているＩＯＬの分光特性情報に基づいて補正が行われるので、実際に装着されているＩＯＬに応じた補正を行うことができる。
【０１５３】
［各種変形例］
以上の各実施形態において詳述した構成は、本発明に係る眼科撮影装置の一例に過ぎないものであり、本発明の要旨の範囲内において適宜変形を施すことが可能である。
【０１５４】
例えば、実際に撮影された画像を解析してＩＯＬモードで撮影を行うか否かを自動的に判断するように構成することができる。また、実際の撮影画像を解析して被検眼にＩＯＬが装着されているか否かを判断し、装着されていると判断された場合に、当該撮影画像に自動的に色補正等の画像処理を施すように構成することもできる。
【０１５５】
また、可視光の照明光による眼底反射像を受光して眼底を観察するときに、その画像の色合い等を解析して自動的にＩＯＬモードに切り換えるように構成することができる。また、当該画像の色合い等の解析結果に基づいて、当該被検眼はＩＯＬを装着しているか否か判断するとともに、装着していると判断された場合に、「ＩＯＬが装着されているか確認してください」などのメッセージをモニタ等に表示させるように構成して、ＩＯＬモードの必要性の有無を検者に確認させるようにしてもよい。
【０１５６】
また、ＩＯＬモードが選択されている場合に、その旨を示すメッセージやマーク等をモニタ等に表示させてもよい。
【０１５７】
また、赤外光の照明光を用いて眼底を観察するとき、可視光を事前に発光（プレ発光）してその眼底反射光を別途設けたディテクタやＣＣＤ等で受光するとともに、その受光結果を解析することによりＩＯＬモードに設定するか否かを判断するように構成することもできる。
【符号の説明】
【０１５８】
１  眼底カメラ（眼科撮影装置）
３ａ  コントロールパネル
４  ジョイスティック
４ａ  操作ボタン
９  撮像装置
９ａ  撮像媒体（撮像素子）
１０  テレビカメラ
１０ａ  撮像素子
１１  モニタ
３０  制御部
３１  ＩＯＬモード設定キー
３２ａ、３２ｂ、３２ｃ  パルスモータ
３３ｂ、３３ｃ  ソレノイド
１００  照明光学系
１０１  ハロゲンランプ
１０３  キセノンランプ
１０７  照明絞り
１０７ａ  角膜絞り（リングスリット板）
１０７ｂ  虹彩絞り（リングスリット板）
１０７Ｂ  虹彩絞り部材
１０７ｂ−１  健常眼用虹彩絞り
１０７ｂ−２  ＩＯＬ用虹彩絞り
１０７ｃ  水晶体絞り（リングスリット板）
１０７ｃ−１  健常眼用水晶体絞り
１０７ｃ−２  ＩＯＬ用水晶体絞り
Ｒａ、Ｒａ′  周辺遮光部
Ｒｂ、Ｒｂ′  中心遮光部
Ｒｓ、Ｒｓ′  リングスリット
１２０  撮影光学系
２００  眼底カメラ
２１０  制御部
２２０  補正情報記憶部
２２１  ＩＯＬ分光特性情報
２２２  人眼水晶体分光特性情報
２２３  レンズ色分光特性情報
２３０  色バランス補正部
２３１  分光特性情報選択部
２３２  補正係数算出部
２３３  ＲＧＢ補正処理部
２４０  撮影画像格納部
２４１  撮影画像データ
２４１Ｒ  Ｒ画像データ
２４１Ｇ  Ｇ画像データ
２４１Ｂ  Ｂ画像データ
２５１  ＩＯＬモード設定キー
２５２  ＩＯＬ製品名入力キー
２５３  レンズ色入力キー
３００  眼底カメラ
３１０  制御部
３２０  前眼部像格納部
３２１  前眼部像データ
３２１Ｒ  Ｒ画像データ
３２１Ｇ  Ｇ画像データ
３２１Ｂ  Ｂ画像データ
３３０  色バランス補正部
３３１  前眼部像解析部
３３２  補正係数算出部
３３３  ＲＧＢ補正処理部
３４０  撮影画像格納部
３４１  撮影画像データ
３４１Ｒ  Ｒ画像データ
３４１Ｇ  Ｇ画像データ
３４１Ｂ  Ｂ画像データ
３５０  補正情報記憶部
３５１  人眼水晶体分光特性情報
３６１  ＩＯＬモード設定キー
Ｅ  被検眼
Ｅｆ  眼底
【図１】
2010234066.tif 000003
【図２】
2010234066.tif 000004
【図３】
2010234066.tif 000005
【図４】
2010234066.tif 000006
【図５】
2010234066.tif 000007
【図６】
2010234066.tif 000008
【図７】
2010234066.tif 000009
【図８】
2010234066.tif 000010
【図９】
2010234066.tif 000011